【手続補正書】
【提出日】平成20年11月10日(2008.11.10)
【手続補正１】
【補正対象書類名】特許請求の範囲
【補正対象項目名】全文
【補正方法】変更
【補正の内容】
【特許請求の範囲】
【請求項１】
一対の透明部材からなる基板と、
一対の前記基板の間に配置された液晶材料と、
前記基板の一方に形成された第１の導電層と、
前記第１の導電層の前記液晶材料側に、少なくとも１つの絶縁層を含む中間層を介して形成された第２の導電層と、
前記中間層に形成された開口部とを有し、
前記開口部の開口端のうち、前記液晶材料側の開口端の外周は、該外周を１周する間に、前記基板からの距離が１回以上変動することを特徴とする表示装置。
【請求項２】
前記開口部を介して前記第１の導電層と前記第２の導電層が電気的に接続されていることを特徴とする請求項１に記載の表示装置。
【請求項３】
一対の透明部材からなる基板と、
一対の前記基板の間に配置された液晶材料と、
前記基板の一方に形成された第１の導電層と、
前記第１の導電層の前記液晶材料側に、少なくとも１つの絶縁層を含む中間層を介して形成された第２の導電層と、
前記中間層に、前記第２の導電層が露出するように形成された開口部とを有し、
前記第１の導電層は、前記開口部を覆うように形成され、
前記開口部は、他方の基板側の開口端と前記基板との距離が、少なくとも２通りあるように形成されていることを特徴とする表示装置。
【請求項４】
前記他方の基板側の前記開口端の外周は、当該開口端と前記基板との間に半導体層が介在している領域と、前記半導体層が介在しない領域とを有することを特徴とする請求項３に記載の表示装置。
【請求項５】
前記半導体層は、前記第２の導電層と前記基板との間に介在していることを特徴とする請求項４に記載の表示装置。
【請求項６】
前記中間層は、２つの絶縁層を有し、
前記半導体層は、前記２つの絶縁層の間に介在していることを特徴とする請求項４に記載の表示装置。
【請求項７】
液晶材料を介して接合される一対の基板と、
一方の前記基板に形成された第１の導電層と、
前記第１の導電層の前記液晶材料側に、少なくとも１つの絶縁層を含む中間層を介して形成された第２の導電層と、
前記中間層に、前記第２の導電層が露出するように形成された開口部とを有し、
前記第１の導電層は、前記開口部を介して前記第２の導電層と電気的に接続されるように形成されており、
前記開口部の開口端と前記基板との間の一部分に、段差形成層が配置されていることを特徴とする表示装置。
【請求項８】
前記段差形成層は、前記第２の導電層と前記基板との間に配置されていることを特徴とする請求項７に記載の表示装置。
【請求項９】
前記段差形成層は、平面形状が半円状であり、当該段差形成層の一部分が前記開口端の一部分と重複していることを特徴とする請求項８に記載の表示装置。
【請求項１０】
前記段差形成層は、平面形状が矩形状である、当該段差形成層の一部分が前記開口端の一部分と重複していることを特徴とする請求項８に記載の表示装置。
【請求項１１】
前記段差形成層は、平面形状が十字状であり、当該段差形成層の一部分が前記開口端の一部分と重複していることを特徴とする請求項８に記載の表示装置。
【請求項１２】
前記段差形成層は、平面形状が矩形状であり、１つの前記開口端と重複する位置に複数の前記段差形成層が配置されていることを特徴とする請求項８に記載の表示装置。
【請求項１３】
前記中間層は、２つの絶縁層からなり、前記段差形成層は、前記２つの絶縁層の間であり、かつ、前記開口部の一部分と接する位置に配置されていることを特徴とする請求項７に記載の表示装置。
【請求項１４】
前記段差形成層は、１つの前記開口部の周辺に複数配置されていることを特徴とする請求項１３に記載の表示装置。
【請求項１５】
液晶材料を介して接合される一対の基板と、
一方の前記基板に形成された第１の導電層と、
前記第１の導電層の前記液晶材料側に、少なくとも１つの絶縁層を含む中間層を介して形成された第２の導電層と、
前記中間層に、前記第２の導電層が露出するように形成された開口部とを有し、
前記第１の導電層は、前記開口部を介して前記第２の導電層と電気的に接続されるように形成されており、
前記第２の導電層は、前記開口部と重複する位置に切り欠き有することを特徴とする表示装置。
【請求項１６】
前記第１の導電層は、前記基板に形成されたスイッチング素子と接続しており、前記第２の導電層は、前記基板に形成された画素電極であることを特徴とする請求項１５に記載の表示装置。
【請求項１７】
前記第２の導電層は、前記基板に形成された対向電極であり、前記第１の導電層は、前記基板に形成された、前記対向電極に電気信号を供給する共通信号線と接続している共通化配線であることを特徴とする請求項１５に記載の表示装置。
【手続補正２】
【補正対象書類名】明細書
【補正対象項目名】００１５
【補正方法】変更
【補正の内容】
【００１５】
（１）一対の透明部材からなる基板と、一対の前記基板の間に配置された液晶材料と、
前記基板の一方に形成された第１の導電層と、前記第１の導電層の前記液晶材料側に、少なくとも１つの絶縁層を含む中間層を介して形成された第２の導電層と、前記中間層に形成された開口部とを有し、前記開口部の開口端のうち、前記液晶材料側の開口端の外周は、該外周を１周する間に、前記基板からの距離が１回以上変動する表示装置。
（２）前記（１）の表示装置において、前記開口部を介して前記第１の導電層と前記第２の導電層が電気的に接続されている表示装置。
【手続補正３】
【補正対象書類名】明細書
【補正対象項目名】００１６
【補正方法】変更
【補正の内容】
【００１６】
（３）一対の透明部材からなる基板と、一対の前記基板の間に配置された液晶材料と、
前記基板の一方に形成された第１の導電層と、前記第１の導電層の前記液晶材料側に、少なくとも１つの絶縁層を含む中間層を介して形成された第２の導電層と、前記中間層に、前記第２の導電層が露出するように形成された開口部とを有し、前記第１の導電層は、前記開口部を覆うように形成され、前記開口部は、他方の基板側の開口端と前記基板との距離が、少なくとも２通りあるように形成されている表示装置。
（４）前記（３）の表示装置において、前記他方の基板側の前記開口端の外周は、当該開口端と前記基板との間に半導体層が介在している領域と、前記半導体層が介在しない領域とを有する表示装置。
（５）前記（４）の表示装置において、前記半導体層は、前記第２の導電層と前記基板との間に介在している表示装置。
（６）前記（４）の表示装置において、前記中間層は、２つの絶縁層を有し、
前記半導体層は、前記２つの絶縁層の間に介在している表示装置。
【手続補正４】
【補正対象書類名】明細書
【補正対象項目名】００１７
【補正方法】変更
【補正の内容】
【００１７】
（７）液晶材料を介して接合される一対の基板と、一方の前記基板に形成された第１の導電層と、前記第１の導電層の前記液晶材料側に、少なくとも１つの絶縁層を含む中間層を介して形成された第２の導電層と、前記中間層に、前記第２の導電層が露出するように形成された開口部とを有し、前記第１の導電層は、前記開口部を介して前記第２の導電層と電気的に接続されるように形成されており、前記開口部の開口端と前記基板との間の一部分に、段差形成層が配置されている表示装置。
（８）前記（７）の表示装置において、前記段差形成層は、前記第２の導電層と前記基板との間に配置されている表示装置。
（９）前記（８）の表示装置において、前記段差形成層は、平面形状が半円状であり、当該段差形成層の一部分が前記開口端の一部分と重複している表示装置。
（１０）前記（８）の表示装置において、前記段差形成層は、平面形状が矩形状である、当該段差形成層の一部分が前記開口端の一部分と重複している表示装置。
（１１）前記（８）の表示装置において、前記段差形成層は、平面形状が十字状であり、当該段差形成層の一部分が前記開口端の一部分と重複している表示装置。
（１２）前記（８）の表示装置において、前記段差形成層は、平面形状が矩形状であり、１つの前記開口端と重複する位置に複数の前記段差形成層が配置されている表示装置。
【手続補正５】
【補正対象書類名】明細書
【補正対象項目名】００１８
【補正方法】変更
【補正の内容】
【００１８】
（１３）前記（７）の表示装置において、前記中間層は、２つの絶縁層からなり、前記段差形成層は、前記２つの絶縁層の間であり、かつ、前記開口部の一部分と接する位置に配置されている表示装置。
（１４）前記（１３）の表示装置において、前記段差形成層は、１つの前記開口部の周辺に複数配置されている表示装置。
【手続補正６】
【補正対象書類名】明細書
【補正対象項目名】００１９
【補正方法】変更
【補正の内容】
【００１９】
（１５）液晶材料を介して接合される一対の基板と、一方の前記基板に形成された第１の導電層と、前記第１の導電層の前記液晶材料側に、少なくとも１つの絶縁層を含む中間層を介して形成された第２の導電層と、前記中間層に、前記第２の導電層が露出するように形成された開口部とを有し、前記第１の導電層は、前記開口部を介して前記第２の導電層と電気的に接続されるように形成されており、前記第２の導電層は、前記開口部と重複する位置に切り欠き有する表示装置。
（１６）前記（１５）の表示装置において、前記第１の導電層は、前記基板に形成されたスイッチング素子と接続しており、前記第２の導電層は、前記基板に形成された画素電極である表示装置。
（１７）前記（１５）の表示装置において、前記第２の導電層は、前記基板に形成された対向電極であり、前記第１の導電層は、前記基板に形成された、前記対向電極に電気信号を供給する共通信号線と接続している共通化配線である表示装置。
【手続補正７】
【補正対象書類名】明細書
【補正対象項目名】００２０
【補正方法】削除
【補正の内容】
【手続補正８】
【補正対象書類名】明細書
【補正対象項目名】００２１
【補正方法】削除
【補正の内容】